(57)【要約】【課題】衝突安全性に優れ、かつ操作性が良好なシートバックテーブルを提供する。【解決手段】シートバックテーブル１は、座席３の背面に設けられた収納部１１および、収納部１１に収納されたテーブル本体５からなり、テーブル本体５の端部はジョイント１５ａ、１５ｂによって収納部に連結されている。  テーブル本体５の内部にはスライド板２３が設けられており、スライド板２３はＣ２およびＤ２方向に移動可能である。  スライド板２３の先端には先端部２５が設けられている。  一方、凹部１７の側面にはスライド挿入孔４３が設けられている。  即ち、テーブル本体５を収納部１１に収納した状態で先端部２５をスライド挿入孔４３に挿入すれば、テーブル本体５を収納部１１に固定することができる。【選択図】図１４
2007253914.tif 000002
【特許請求の範囲】
【請求項１】
座席の背面に開閉可能に設けられたテーブル本体と、前記座席の背面に設けられ、前記テーブル本体を収納する収納部と、
からなり、
前記テーブル本体は、収納時に前記座席の背面と対向する面に凹部を有し、
前記収納部は、表面に前記凹部の形状に対応した凸部を有し、
前記テーブル本体および前記凸部には、前記凸部と前記凹部とを固定する固定手段が設けられ、
前記凸部が前記凹部に挿入され、前記固定手段を用いて前記凸部と前記凹部を固定することにより、前記テーブル本体を前記収納部に固定することを特徴とするシートバックテーブル。
【請求項２】
前記凹部は、底面に貫通孔が設けられ、前記貫通孔は前記底面よりも面積が小さいことを特徴とする請求項１記載のシートバックテーブル。
【請求項３】
前記凸部は、上面に収納可能なフックが設けられていることを特徴とする請求項１記載のシートバックテーブル。
【請求項４】
前記固定手段は、前記テーブル本体の内部に移動可能に設けられたスライダと、
前記凸部の側面に設けられた穴部と、
を備え、
前記スライダを前記穴部に挿入することにより前記凸部と前記凹部を固定することを特徴とする請求項１記載のシートバックテーブル。
【請求項５】
前記スライダは、先端に行くに従って、徐々に細くなることを特徴とする請求項４記載のシートバックテーブル。
【請求項６】
前記テーブル本体、前記スライダおよび前記凸部を構成する材料は樹脂であることを特徴とする請求項４記載のシートバックテーブル。
【請求項７】
前記スライダは、
前記テーブル本体の内部で移動させる為の操作部位と、
前記穴部に前記スライダを挿入する方向を示す第１の表記部位と、
前記第１の表記部位とは反対の方向を示す第２の表記部位と、
を備え、
前記テーブル本体は、前記スライダが前記穴部に挿入されて前記凸部と前記凹部とが固定されているときには、前記操作部位と前記第２の表記部位とを視認可能に露出させると共に、前記第１の表記部位を視認できないように前記テーブル本体の内部に包隠し、前記スライダが前記穴部に挿入されないで前記凸部と前記凹部との固定が解除されているときには、前記操作部位と前記第１の表記部位とを視認可能に露出させると共に前記第２の表記部位を前記テーブル本体の内部に包隠するスライド孔を備えることを特徴とする請求項４記載のシートバックテーブル。
【請求項８】
前記操作部位の近傍に位置する前記テーブル本体端部と、前記収納部との間に溝部が形成されたことを特徴とする請求項７記載のシートバックテーブル。
【発明の詳細な説明】
【技術分野】
【０００１】
本発明は、シートバックテーブルに関するものである。
【背景技術】
【０００２】
従来、航空機や、電車、バス等、多くの乗客用の座席を備えた乗り物には、座席の背面に、その後部座席の利用者のための開閉式シートバックテーブルが設けられている。
【０００３】
シートバックテーブルは、通常はテーブル本体が座席の背面に収納されているが、ラッチを操作することによりテーブル本体と背面とのロックを解除し、テーブル本体を座席から引き出すことによってテーブルとして使用することができる。
このようなシートバックテーブルとしては、以下のようなものが知られている（特許文献１）。
【特許文献１】特開２０００-１７７４６３号公報
【発明の開示】
【発明が解決しようとする課題】
【０００４】
しかしながら、このようなシートバックテーブルでは、ラッチが突出しているため、衝突安全性に問題があり、またラッチを操作する手とテーブル本体を開閉する手が別であるため、操作に両手を必要とし、操作性が悪いという問題があった。
【０００５】
本発明は、このような問題に鑑みてなされたもので、その目的は衝突安全性に優れ、かつ操作性が良好なシートバックテーブルを提供することにある。
【課題を解決するための手段】
【０００６】
前述した目的を達成するために、本発明は、座席の背面に開閉可能に設けられたテーブル本体と、前記座席の背面に設けられ、前記テーブル本体を収納する収納部と、からなり、前記テーブル本体は、収納時に前記座席の背面と対向する面に凹部を有し、前記収納部は、表面に前記凹部の形状に対応した凸部を有し、前記テーブル本体および前記凸部には、前記凸部と前記凹部とを固定する固定手段が設けられ、前記凸部が前記凹部に挿入され、前記固定手段を用いて前記凸部と前記凹部を固定することにより、前記テーブル本体を前記収納部に固定することを特徴とするシートバックテーブルである。
【０００７】
前記凹部は、底面に貫通孔が設けられ、前記貫通孔は前記底面よりも面積が小さくてもよい。
前記凸部は、上面に収納可能なフックが設けられていてもよい。
前記固定手段は、前記テーブル本体の内部に移動可能に設けられたスライダと、前記凸部の側面に設けられた穴部と、を備え、前記スライダを前記穴部に挿入することにより前記凸部と前記凹部を固定する。
前記スライダは、先端に行くに従って、徐々に細くなってもよい。
前記テーブル本体、前記スライダおよび前記凸部を構成する材料は樹脂であってもよい。
【０００８】
前記スライダは、前記テーブル本体の内部で移動させるための操作部位と、前記穴部に前記スライダを挿入する方向を示す第１の表記部位と、前記第１の表記部位とは反対の方向を示す第２の表記部位と、を備え、前記テーブル本体は、前記スライダが前記穴部に挿入されて前記凸部と前記凹部とが固定されているときには、前記操作部位と前記第２の表記部位とを視認可能に露出させると共に、前記第１の表記部位を視認できないように前記テーブル本体の内部に包隠し、前記スライダが前記穴部に挿入されないで前記凸部と前記凹部とが解除されているときには、前記操作部位と前記第１の表記部位とを視認可能に露出させると共に前記第２の表記部位を前記テーブル本体の内部に包隠するスライド孔を備える。
前記シートバックテーブルは、前記操作部位の近傍に位置する前記テーブル本体端部と、前記収納部との間に溝部が形成されていてもよい。
【発明の効果】
【０００９】
本発明によれば、衝突安全性に優れ、かつ操作性が良好なシートバックテーブルを提供することができる。
【発明を実施するための最良の形態】
【００１０】
以下、図面に基づいて本発明に好適な実施形態を詳細に説明する。図１は、本実施形態に係るシートバックテーブル１を示す斜視図であって、図２は図１のＣ１方向矢視図、図３は図１のＤ１方向矢視図である。
【００１１】
また、図４は図３の溝部１３付近の拡大図であって、図５はテーブル本体５を引き出した状態のシートバックテーブル１を示す斜視図、図６は図５のＥ方向矢視図、図７はテーブル本体５の凹部１９付近の断面図である。
【００１２】
さらに、図８は凸部１７の拡大斜視図であって、図９は図８のＧ−Ｇ断面図、図１０は凸部１７の内部を示す図、図１１はフック３９を展開した状態の凸部１７を示す図である。
【００１３】
図１、図２および図３に示すように、シートバックテーブル１は、座席３の背もたれの背面の一部を窪ませて設けられた収納部１１および、略長方形の平板形状をなし、収納部１１に沿って収納されたテーブル本体５から構成され、テーブル本体５の下端部はジョイント１５ａ、１５ｂによって収納部１１に連結されている。
【００１４】
図３および図４に示すように、テーブル本体５を収納した状態においては、テーブル本体５の上端と、収納部１１の間には溝部１３が設けられている。なお、この理由は後述する。
また、テーブル本体５の上端には長手方向に溝部１３ａが設けられている。
【００１５】
テーブル本体５はジョイント１５ａ、１５ｂを結ぶ直線、即ちテーブル本体５の下端を軸にして図３のＡ方向およびＢ方向に回転可能である。テーブル本体５を収納した図３の状態からテーブル本体５をＡ方向に回転すると、テーブル本体５の上端が座席３の後方に引き倒され、図５および図６に示すように、テーブル本体５が略水平な状態で固定される。
【００１６】
この状態では、座席３の後部座席に座っている利用者は、テーブル本体５をテーブルとして利用できる。
【００１７】
図５および図６に示すように、収納部１１には凸部１７が設けられており、図５に示すように、テーブル本体５には略円形の凹部１９が設けられている。
【００１８】
凹部１９はコップ等を保持するためのカップホルダである。
凸部１７は、凹部１９に対応した形状を有しており、図１に示すように、テーブル本体５が収納部に収納された状態では、凸部１７は凹部１９に挿入されている。
【００１９】
図７に示すように、凹部１９の底面には略円形の貫通孔２１が設けられている。
ここで、テーブル本体５の厚さ２０は凸部１７の高さ１８と略等しく構成されているので、テーブル本体５を収納部１１に収納すると、凸部１７が貫通孔２１を突き抜けることもないし、高さが足りずに窪むこともない。すなわち、テーブル本体５の貫通孔２１を凸部１７が凹凸なく塞ぐことになる。
従って、シートバックテーブル１はテーブル本体５を収納しているときには、外観上座席３と一体的になって見栄えが向上すると共に衝突安全性にも優れている。
【００２０】
また、貫通孔２１は凹部１９に内包されており、その面積は凹部１９の底面の面積より小さい。
即ち、貫通孔２１の直径２６は凹部１９の直径２４よりも小さい。
さらに、凸部１７が貫通孔２１に略内接することが可能なように、凸部１７の直径２２は貫通孔２１の直径２６と略等しい。
【００２１】
従って、テーブル本体５を収納部１１に収納すると、凸部１７とテーブル本体５の間に隙間ができず、衝突安全性をより高めることができる。また、凹部１９の直径２４が、凸部１７の直径２２よりも大きいため、テーブル本体５の開閉時に凸部１７と凹部１９または貫通孔２１の内周とが干渉すること防止することができる。
【００２２】
一方、図１０に示すように、凸部１７にはフック挿入口４５が設けられ、図８および図９に示すように、フック挿入口４５にはかぎ状のフック３９が設けられている。
【００２３】
図９に示すように、フック３９は軸４２を中心にＦ１方向およびＦ２方向に回転可能に設けられているが、図示しないバネによってＦ２方向への回転力が常に作用する構造となっている。
従って、フック３９は、常時はフック挿入口４５内に収納されている。
【００２４】
フック３９は端部に凹部４１が設けられており、凹部４１近傍を図９のＨ方向に押圧することにより、フック３９はＦ１方向に回転し、図１１に示すように、凸部１７の外部に露出する。
この状態では、フック３９に袋等をぶら下げることができる。
【００２５】
次に、シートバックテーブル１の開閉機構について詳細に説明する。図１２はテーブル本体５を示す平面図であって、図１３はテーブル本体５の内部を示す図である。
また、図１４〜図１６はテーブル本体５の開閉時のシートバックテーブル１の動作を示す図である。
【００２６】
図１２および図１３に示すように、テーブル本体５の内部にはスライド板２３（スライダ）がテーブル本体５に対して相対移動可能に設けられている。
また、テーブル本体５を収納した状態で、後部座席の利用者から見て手前側のテーブル本体５の表面にはスライド孔２８が設けられており、スライド板２３の一部は、スライド孔２８から視認可能となっている。
【００２７】
図１３に示すように、スライド板２３は、両側面に複数の半円形の切欠部３３を有している。
スライド板２３の両側面近傍にはレール２９ａ、２９ｂが設けられ、レール２９ａ、２９ｂには一端がレールに固定されたバネ３１ａ、３１ｂが設けられている。
【００２８】
バネ、３１ａ、３１ｂは、他端が切欠部３３に当接しており、バネ３１ａ、３１ｂに押圧されることによって、スライド板２３は保持されている。
従ってスライド板２３は、レール２９ａ、２９ｂに沿って、図１３のＣ２およびＤ２方向に移動可能である。
【００２９】
なお、切欠部３３は一定間隔毎に設けられているため、スライド板２３がＣ２およびＤ２方向に一定距離移動すると、バネ、３１ａ、３１ｂの他端が切欠部３３に当接して、スライド板２３を保持する。
【００３０】
スライド板２３の先端部２５は、先端に行くに従って、徐々に幅が狭くなっている。
また、スライド板２３の表面には操作用凹部２７（操作部位）が設けられており、操作用凹部２７の左右両側には表示矢印３５、３７が設けられている。
【００３１】
左側の表示矢印３５はＣ２方向（左方向）を示す矢印であり、表面に「ＯＰＥＮ」と記載されている（第２の表記部位）。
右側の表示矢印３７はＤ２方向（右方向）を示す矢印であり、表面に「ＣＬＯＳＥ」と記載されている（第１の表記部位）。
【００３２】
一方、図１０に示すように、凸部１７の側面にはスライド挿入孔４３（穴部）が設けられている。
スライド挿入孔４３の形状は先端部２５の形状に対応している。
【００３３】
即ち、テーブル本体５を収納部１１に収納した状態（凸部１７が凹部１９に挿入された状態）で先端部２５をスライド挿入孔４３に挿入すれば、テーブル本体５を収納部１１に固定することができる（固定手段）。このとき先端部２５の形状が、先端にいくに従って徐々に幅が狭くなっているので、スライド挿入孔４３と先端部２５との相対位置が多少ずれていても容易に挿入することができる。
【００３４】
具体的には図１４の状態が相当する。
図１４は図１３の状態からスライド板２３をＤ２方向に移動した状態である。
この状態ではカップホルダとしての凹部１９より先端部２５が突き出してスライド挿入孔４３に挿入されているため、テーブル本体５は収納部１１に固定されている。すなわち、凹部１９はカップホルダとしての機能と固定手段としてのスライダが出入りする部位としての機能も兼ねている。
【００３５】
反対に、スライド板２３をＣ２方向に移動して先端部２５をスライド挿入孔４３から抜き出せば、固定状態が解除され、テーブル本体５を収納部１１から引き倒すことができる。
【００３６】
具体的には図１５の状態が相当する。
図１５は図１４の状態からスライド板２３をＣ２方向に移動した状態である。
この状態では先端部２５がスライド挿入孔４３に挿入されていないため、テーブル本体５は収納部１１に固定されておらず、テーブル本体５を引き倒すことができる。
【００３７】
固定を解除してテーブル本体を引き倒す操作手順を説明する。まず、図１６に示すように、親指４７をスライド板２３の操作用凹部２７に挿入し、他の指４５を溝部１３および溝部１３ａに挿入する。このとき、操作用凹部２７と溝部１３とは両方とも一方の手で触れることができる程度に近傍に位置している。次に親指４７を用いてスライド板２３をＣ２方向に移動させて固定を解除する。
【００３８】
最後に、固定を解除した後は手４４を用いてテーブル本体５を図３のＡ方向に移動させてテーブル本体５を引き倒す。
テーブル本体５を収納部１１に収納、固定する場合は、逆の手順を行えばよい。
【００３９】
このように、シートバックテーブル１はテーブル本体５の収納部１１への固定の解除操作および、テーブル本体５の開閉操作という一連の操作を、片手のみで、を行うことができる。
従って、操作に両手を用いる従来のシートバックテーブルと比べて、操作性は良好である。
【００４０】
また、図１４に示す状態、即ちテーブル本体５が収納部１１に固定された状態では、操作用凹部２７の左右両側の表示矢印３５、３７のうち、左側の表示矢印３５と、操作用凹部２７とが視認可能なように露出している。
【００４１】
左側の表示矢印３５はＣ２方向を向いており、また表面に「ＯＰＥＮ」と記載されているため、表示矢印３５を見た利用者は、スライド板２３をＣ２方向に移動させることにより、テーブル本体５の収納部１１への固定を解除し、テーブル本体５を引き出すことができることがわかり、便利である。
【００４２】
逆に、図１５に示す状態、即ちテーブル本体５が収納部１１に固定されていない状態では、スライド孔２８からは右側の表示矢印３７と操作用凹部２７とが視認可能に露出している。
【００４３】
右側の表示矢印３７は左側の表示矢印３５とは逆の方向、すなわちＤ２方向を向いており、また表面に「ＣＬＯＳＥ」と記載されているため、表示矢印３７を見た利用者は、スライド板２３をＤ２方向に移動させることにより、テーブル本体５を収納部１１に固定できることがわかり、便利である。
【００４４】
このように、第１の実施形態によれば、シートバックテーブル１が収納部１１とテーブル本体５を有し、テーブル本体５の内部に設けられたスライド板２３の先端部２５を、収納部１１に設けられた凸部１７に挿入することによって、テーブル本体５を収納部１１に固定する。
従って、シートバックテーブル１は突出部がなく、衝突安全性に優れる。
【００４５】
また、第１の実施形態によれば、収納部１１とテーブル本体５の隙間に溝部１３が設けられており、テーブル本体５の収納部１１への固定を解除し、テーブル本体５を開く際は、溝部１３に指４５を挿入して操作を行う。
【００４６】
従って、テーブル本体５の収納部１１への固定および解除ならびに、テーブル本体５の開閉動作を片手で行うことができ、操作性が良好である。
【００４７】
次に、第２の実施形態について説明する。図１７は第２の実施形態に係るシートバックテーブル１ａを示す斜視図であって、図１８は図１７のテーブル本体５ａの凹部５３付近の断面図である。
なお、第１の実施形態に係るシートバックテーブル１と同様の機能を果たす要素には同一の番号を付し、説明を省略する。
【００４８】
図１７に示すように、第２の実施形態に係るシートバックテーブル１ａの構造は、シートバックテーブル１と同様であるが、図１８に示すように、凹部５３に貫通孔が設けられておらず、テーブル本体５ａを収納部１１に収納しても凸部１７が表面に露出しないようになっている。また、収納部１１に設けられた凸部１７ａの高さはテーブル本体５ａの厚さ２０よりも低いため、テーブル本体５ａの開閉動作に伴う凹部５１と凸部１７との干渉を一層防止することができる。
【００４９】
なお、テーブル本体５ａの内部の構造およびテーブル本体５ａの開閉の手順は第１の実施形態と同様であるため、説明を省略する。
【００５０】
このように、第２の実施の形態によれば、シートバックテーブル１ａがテーブル本体５ａと収納部１１を有している。
従って、第１の実施形態と同様の効果を奏する。
【００５１】
また、第２の実施形態によれば凹部５３に貫通孔が設けられておらず、テーブル本体５ａを収納部１１に収納しても凸部１７ａが表面に露出しないため、凸部１７ａが収容される凹部５３の反対側の面から凹凸を全くなくすことができると共に、衝突安全性をより高めることができる。
【００５２】
以上、添付図面を参照しながら、本発明の実施形態を説明したが、本発明の技術的範囲は、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【００５３】
例えば、第１の実施形態ではスライド板２３をテーブル本体５に設け、スライド挿入口４３を凸部１７に設けているが、スライド板２３を凸部１７に設け、スライド挿入口４３をテーブル本体５に設けてもよい。
【図面の簡単な説明】
【００５４】
【図１】シートバックテーブル１を示す斜視図
【図２】図１のＣ方向矢視図
【図３】図１のＤ方向矢視図である。
【図４】図３の溝部１３付近の拡大図
【図５】テーブル本体５を引き出した状態のシートバックテーブル１を示す斜視図
【図６】図５のＥ方向矢視図
【図７】テーブル本体５の凹部１９付近の断面図
【図８】凸部１７の拡大斜視図
【図９】図８のＧ−Ｇ断面図
【図１０】凸部１７の内部を示す図
【図１１】フック３９を展開した状態の凸部１７を示す図
【図１２】テーブル本体５を示す平面図
【図１３】テーブル本体５の内部を示す図
【図１４】テーブル本体５の開閉時のシートバックテーブル１の動作を示す図
【図１５】テーブル本体５の開閉時のシートバックテーブル１の動作を示す図
【図１６】テーブル本体５の開閉時のシートバックテーブル１の動作を示す図
【図１７】シートバックテーブル１ａを示す斜視図
【図１８】テーブル本体５ａの凹部５３付近の断面図
【符号の説明】
【００５５】
１…………シートバックテーブル
３…………座席
５…………テーブル本体
１１………収納部
１１ａ……溝部
１５ａ……ジョイント
１７………凸部
１９………凹部
２１………貫通孔
２３………スライド板（スライダ）
２５………先端部
２７………操作用凹部
２８………スライド孔
３５………表示矢印（第２の表記部位）
３７………表示矢印（第１の表記部位）
３９………フック
４３………スライド挿入孔（穴部）
５３………凹部
【図１】
2007253914.tif 000003
【図２】
2007253914.tif 000004
【図３】
2007253914.tif 000005
【図４】
2007253914.tif 000006
【図５】
2007253914.tif 000007
【図６】
2007253914.tif 000008
【図７】
2007253914.tif 000009
【図８】
2007253914.tif 000010
【図９】
2007253914.tif 000011
【図１０】
2007253914.tif 000012
【図１１】
2007253914.tif 000013
【図１２】
2007253914.tif 000014
【図１３】
2007253914.tif 000015
【図１４】
2007253914.tif 000016
【図１５】
2007253914.tif 000017
【図１６】
2007253914.tif 000018
【図１７】
2007253914.tif 000019
【図１８】
2007253914.tif 000020